【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
中間にハニカム構造体（２）が配置され、前記ハニカム構造体（２）の厚さ方向の両側に外板（１）（１）が配置されているハニカムパネルであって、
前記ハニカム構造体（２）と前記外板（１）（１）とが、弾性嵌合（２０）（３０）によって連結されていることを特徴とするハニカムパネル。
【請求項２】
前記ハニカム構造体（２）は、複数個の押出形材製の単位ハニカム体（３００）（４００）（５００）が、幅方向又は／及び長さ方向に連結されて構成され、
前記各外板（１）（１）は、複数個の押出形材製の単位外板（１００）（２００）が、幅方向又は／及び長さ方向に連結されて構成されている請求項１記載のハニカムパネル。
【請求項３】
前記ハニカム構造体（２）及び前記各外板（１）（１）と平行な平面において、前記ハニカム構造体（２）における単位ハニカム体同士の連結部（Ｃ２）の位置と、前記各外板（１）（１）における単位外板同士の連結部（Ｃ１）（Ｃ１）の位置とが、ずれている請求項２記載のハニカムパネル。
【請求項４】
前記各外板（１）（１）を構成している各単位外板（１００）は、単位ハニカム体（３００）に対して、幅方向に１／２だけずれ、かつ長さ方向に１／４だけずれた状態に配置されている請求項３に記載のハニカムパネル。
【請求項５】
前記ハニカム構造体（２）は、複数個の押出形材製の単位ハニカム体（３００）（４００）（５００）を幅方向又は／及び長さ方向に連結して構成したハニカム連結層（３）が、複数層にわたって積層状態に配置され、かつ厚さ方向に隣接するハニカム連結層同士が、弾性嵌合（２０）（３０）によって互いに連結されて構成されてなり、
前記各外板（１）（１）は、複数個の押出形材製の単位外板（１００）（２００）が、幅方向又は／及び長さ方向に連結されて構成されている請求項１記載のハニカムパネル。
【請求項６】
前記各ハニカム連結層（３）と平行な平面において、各ハニカム連結層（３）における単位ハニカム体同士の連結部（Ｃ２）の位置と、該ハニカム連結層に対して厚さ方向に隣接するハニカム連結層（３）における単位ハニカム体同士の連結部（Ｃ２）の位置とが、ずれており、
かつ、前記ハニカム構造体（２）の厚さ方向両端側に配置されているハニカム連結層（３）（３）及び前記各外板（１）（１）と平行な平面において、前記ハニカム構造体（２）の厚さ方向両端側に配置されているハニカム連結層（３）（３）における単位ハニカム体同士の連結部（Ｃ２）（Ｃ２）の位置と、前記各外板（１）（１）における単位外板同士の連結部（Ｃ１）（Ｃ１）の位置とが、ずれている請求項５記載のハニカムパネル。
【請求項７】
前記ハニカム構造体（２）において、各ハニカム連結層（３）（３）（３）を構成している各単位ハニカム体（４００）は、厚さ方向に隣接するハニカム連結層（３）における単位ハニカム体（４００）に対して、幅方向に１／２だけずれ、かつ長さ方向に１／４だけずれた状態に配置されており、
さらに、各外板（１）（１）を構成している各単位外板（２００）（１００）は、ハニカム構造体（２）の厚さ方向両端側に配置されているハニカム連結層（３）（３）における単位ハニカム体（４００）（４００）に対して、幅方向に１／２だけずれ、かつ長さ方向に１／４だけずれた状態に配置されている請求項６に記載のハニカムパネル。
【請求項８】
前記ハニカム構造体（２）は、複数個の押出形材製の単位ハニカム体（３００）（４００）（５００）を幅方向又は／及び長さ方向に連結して構成したハニカム連結層（３）が、複数層にわたって積層状態に配置されるとともに、少なくとも１つのハニカム連結層間に、複数個の押出形材製の単位仕切り（６００）を幅方向又は／及び長さ方向に連結して構成した仕切り連結層（４）が配置され、かつ厚さ方向に隣り合う層（３）（４）同士が、弾性嵌合（２０）（３０）によって互いに連結されて構成されてなり、
前記各外板（１）（１）は、複数個の押出形材製の単位外板（１００）（２００）が、幅方向又は／及び長さ方向に連結されて構成されている請求項１記載のハニカムパネル。
【請求項９】
前記各ハニカム連結層（３）（３）（３）（３）における単位ハニカム体同士の連結部（Ｃ２）と、該ハニカム連結層に対して厚さ方向に隣接する仕切り連結層（４）における単位仕切り同士の連結部（Ｃ３）との各ハニカム連結層（３）（３）（３）（３）及び各仕切り連結層（４）（４）（４）と平行な平面内における相互の位置が、ずれており、
かつ、前記ハニカム構造体（２）の厚さ方向両端側に配置されているハニカム連結層（３）（３）における単位ハニカム体同士の連結部（Ｃ２）（Ｃ２）と、各外板（１）（１）における単位外板同士の連結部（Ｃ１）（Ｃ１）とのハニカム構造体（２）の厚さ方向両端側に配置されているハニカム連結層（３）（３）及び各外板（１）（１）と平行な平面内における相互の位置が、ずれている請求項８記載のハニカムパネル。
【請求項１０】
前記ハニカム構造体（２）において、各ハニカム連結層（３）又は各仕切り連結層（４）を構成している各単位ハニカム体（３００）又は各単位仕切り（６００）は、厚さ方向に隣接する仕切り連結層（４）又はハニカム連結層（３）における単位仕切り（６００）又は単位ハニカム体（３００）に対して、幅方向に１／２だけずれ、かつ長さ方向に１／４だけずれた状態に配置されており、
さらに、各外板（１）（１）を構成している各単位外板（１００）（１００）は、ハニカム構造体（２）の厚さ方向両端側に配置されているハニカム連結層（３）（３）における単位ハニカム体（３００）（３００）に対して、幅方向に１／２だけずれ、かつ長さ方向に１／４だけずれた状態に配置されている請求項９記載のハニカムパネル。
【請求項１１】
前記弾性嵌合は、雌嵌合部（２０）と、これに対応する雄嵌合部（３０）とからなり、
雌嵌合部（２０）は、対向状配置された一対の雌部弾性係合板部（２１）（２１）を有し、該一対の雌部弾性係合板部（２１）（２１）間に受け凹部（２２）が形成されるものとなされ、各雌部弾性係合板部（２１）（２１）は、その先端部に内方に突出した抜止め用突出部（２１ａ）（２１ａ）を有し、
また、雄嵌合部（３０）は、前記雌嵌合部（２０）の受け凹部（２２）内に嵌合配置される一対の雄部弾性係合板部（３１）（３１）を有し、各雄部弾性係合板部（３１）（３１）は、その先端部に前記雌部弾性嵌合板部（２１）（２１）の抜止め用突出部（２１ａ）（２１ａ）に対応する係合突出部（３１ａ）（３１ａ）を有している、請求項１ないし１０のいずれか１項に記載のハニカムパネル。
【請求項１２】
請求項１ないし１１のいずれか１項に記載のハニカムパネルからなる車輌や建築物の床材。
【請求項１３】
請求項１ないし１１のいずれか１項に記載のハニカムパネルからなる熱交換器用流体通路形成材。
【手続補正２】
【補正対象書類名】明細書
【補正対象項目名】０００６
【補正方法】変更
【補正の内容】
【０００６】
また、一体に押出成形する方法では、製作工程を少なくすることができる利点があるが、このような幅広のハニカムパネルの場合はダイス径の大きなダイスを用いなければならないために、ダイス費用が高くつくという欠点があった。更には、ハニカムパネルの構造が複雑になると、薄肉化が困難になるとか、製造できないといった問題も生じる。例えば、（イ）のハニカムパネルは、薄肉化が困難であり、（ハ）のハニカムパネルは、もはやこれを製造することができない。
【手続補正３】
【補正対象書類名】明細書
【補正対象項目名】００２６
【補正方法】変更
【補正の内容】
【００２６】
また、これら３つの単位筒部（１１）（１１）（１１）のうち、幅方向両端側に位置している単位筒部（１１）（１１）における側頂部には、単位筒部斜辺方向外方に延びる各２個の斜状板部（１２）（１２）、（１２）（１２）がそれぞれ突設されている。各斜状板部（１２）（１２）、（１２）（１２）の板幅は、単位筒部（１１）の斜辺１辺長さに対応する長さに設定されており、各２個の斜状板部（１２）（１２）は、単位筒部分割半部（１３）を構成するものとなされている。
【手続補正４】
【補正対象書類名】明細書
【補正対象項目名】００３７
【補正方法】変更
【補正の内容】
【００３７】
（II）の単位外板（２００）は、その内面に前記雌嵌合部（２０）が設けられたものである。